(57)【要約】【課題】硬貨の補充若しくは回収を行う際に開閉する扉体とチューブ本体との係止手段を折損の虞が少なく、外し易く且つ係止し易い係止手段としたカセット式コインチューブを提供する。【解決手段】各種硬貨の外径に対応する複数の断面円状の硬貨収容面を二分するように、カセット式コインチューブ本体側に対して開閉する扉体を形成すると共に、前記チューブ本体側の各硬貨収容面を区分する仕切り壁に設けた鉤状の突起と、前記扉体側に前記鉤状突起に係合する爪部を設けて、前記鉤状突起と前記爪部との組合せによって、前記装置本体に対する前記扉体の開閉の係止手段を形成し、前記爪部が、硬貨収容方向と直交する方向に移動することで、前記係止手段が機能することを特徴とする。【選択図】図５
2010061609.tif 000002
【特許請求の範囲】
【請求項１】
硬貨処理装置に着脱自在に設けられ、硬貨を収納するカセット式コインチューブにおいて、
各種硬貨の外径に対応する複数の断面円状の硬貨収容面を二分するように、カセット式コインチューブ本体側に対して開閉する扉体を形成すると共に、
前記チューブ本体側の各硬貨収容面を区分する仕切り壁に設けた鉤状の突起と、前記扉体側に前記鉤状突起に係合する爪部を設けて、
前記鉤状突起と前記爪部との組合せによって、前記装置本体に対する前記扉体の開閉の係止手段を形成し、
前記爪部が、硬貨収容方向と直交する方向に移動することで、前記係止手段が機能することを特徴とするカセット式コインチューブ。
【発明の詳細な説明】
【技術分野】
【０００１】
本発明は、硬貨処理装置の硬貨を収納する硬貨収納装置に関し、特に硬貨補充時の装置本体と扉体との開閉作業における部品折損を防止する技術に関する。
【背景技術】
【０００２】
自動販売機等に使用される硬貨処理装置においては、カセット式で硬貨処理装置本体に着脱可能な硬貨収納装置、即ちカセット式コインチューブが設けられている。
【０００３】
この種のカセット式コインチューブは、実開昭５７−１９８６６５号公報等に開示されている。この種のカセット式コインチューブにおいて、硬貨補充時或いは硬貨回収時に開閉する扉体とコインチューブ本体との係止手段は、前記実開昭５７−１９８６６５号公報を機に種々の形状が考え出されている。この係止手段は、外し易く且つ係止し易いことが要求され、最近では、図１及び図２のように、開閉する扉体１とコインチューブ本体２との係止手段として、鉤状突起３と爪４の組合せをＡ部とＢ部の2組設け、2箇所の爪部を一度に摘めるように爪部に指を掛ける箇所５を追加することで、外し易く且つ係止し易いものがある。
【０００４】
【特許文献１】実開昭５７−１９８６６５号
【０００５】
以下、この従来の係止手段を説明する。図３は、図１及び図２に示す爪４の斜視図である。爪４は細長い腕６の先端部に位置していて、細長い腕６は硬貨の整列積み方向に設けられている。次いで、図４は図１及び図２の鉤状突起３と爪４との係止順序を示したもので、矢印Ｃ方向から細長い腕６を押して鉤状突起３と爪４とが衝突し、更にＣ方向に押すと細長い腕６が撓んで、爪４が鉤状突起３の下側に入り込み、係止が完了する。
【０００６】
しかし、図３及び図４の係止手段では、係止を外す時の爪４の移動は、細長い腕６の根元７を中心とした円弧運動（矢印Ｄ方向）となり、細長い腕６の撓みによって係止を外すことになるので、細長い腕６の長さをある程度長くしておかないと撓みに対して持ちこたえることができない。更に、長くすると成形が難しくなり、折損の虞がある。
【０００７】
この問題を解決するには、細長い腕６の撓み量を制限して必要なだけの撓み量にすれば良い。図１及び図２には、扉体を樹脂製のものとし、細長い腕は扉体と一体成形したものを示している。図１及び図２のようであれば、細長い腕６を形成する為の穴８によって細長い腕６の撓み量を制限することが出来る。しかし、この場合には、細長い腕６を形成するには周囲の穴８が大きくなり、金型製作や成形がやや難である。更に、大きな穴８から硬貨が飛び出す虞があり、硬貨収納部本来の機能が果たせなくなるという問題がある。
【発明の開示】
【発明が解決しようとする課題】
【０００８】
本発明は、上述の点に鑑みてなされたもので、カセット式コインチューブにおいて、硬貨の補充若しくは回収を行う際に開閉する扉体とチューブ本体との係止手段を折損の虞が少なく、外し易く且つ係止し易い係止手段とし、この係止手段を備えたカセット式コインチューブを提供しようとするものである。
【課題を解決するための手段】
【０００９】
本発明は、硬貨処理装置に着脱自在に設けられ、硬貨を収納するカセット式コインチューブにおいて、各種硬貨の外径に対応する複数の断面円状の硬貨収容面を二分するように、カセット式コインチューブ本体側に対して開閉する扉体を形成すると共に、前記チューブ本体側の各硬貨収容面を区分する仕切り壁に設けた鉤状の突起と、前記扉体側に前記鉤状突起に係合する爪部を設けて、前記鉤状突起と前記爪部との組合せによって、前記装置本体に対する前記扉体の開閉の係止手段を形成し、前記爪部が、硬貨収容方向と直交する方向に移動することで、前記係止手段が機能することを特徴とする。
【発明の効果】
【００１０】
本発明によれば、鉤状突起と爪との組み合わせによる係止手段において、爪を形成する部材の折損を減少することができ、更に、係止手段を形成する穴からの硬貨飛び出しを減少させることができるという利点を享受できる。
【発明を実施するための最良の形態】
【００１１】
以下、添付図面を参照して本発明の一実施例を詳細に説明する。図５及び図６は、本発明の実施例を示すもので、図５はカセット式コインチューブを扉体側から視た正面図であり、図６は図５のＥ部を拡大し、チューブ本体と扉体との係止手段を示す正面図である。更に、図７は図５及び図６に示す前記扉体に設けた爪部の斜視図であり、図８は図５及び図６に示す前記チューブ本体と前記扉体との係止について、その順序を示したものである。
【００１２】
図５のカセット式コインチューブ本体２１は、各種硬貨毎に収容するコインチューブを隣接し配置したもので、硬貨処理装置に装着された場合には、コインチューブに整列積みで収納された硬貨の最下部の硬貨を順次払い出す硬貨払出部（図示せず）がコインチューブ本体２１の下部に位置する。よって、硬貨払出しを確実なものとし且つ釣り銭として最低限必要な硬貨枚数の検出を確実に行うために、コインチューブ本体２１は、その下部を硬貨収容面が円筒形にして所定枚数の硬貨を整列積み可能にしている。また、その下部より上の部分は硬貨収容面が半円筒形になっていて、扉体を組み合わせることによって円筒形の硬貨収容面が形成される。
【００１３】
更に図５は、コインチューブ本体２１と扉体２０とが組み合わされ使用される状態を示すもので、扉体は、装置本体の下部に回転中心を設け、装置本体側の半円筒形である硬貨収容面に対向するように装置本体に対して回転可能に形成されていることを示している。このようなコインチューブ本体２１と扉体２０との構成によって、扉体２０がコインチューブ本体に対して開閉可能であり、コインチューブの硬貨収容面が開放され、硬貨の補充や回収ができるようになっている。
【００１４】
図６は図５のＥ部を拡大し、前記コインチューブ本体２１と前記扉体２０との係止手段を示す。この図で、チューブ本体側の各硬貨収容面を区分する仕切り壁に設けた鉤状の突起２２と、扉体側に前記鉤状突起２２に係合する爪２３を設けて、前記鉤状突起２２と前記爪２３との組合せを図５に示すＥとＦの２組設けることは従来と同様だが、図２及び図３に示す、細長い腕６は無く、腕２５を設けている。この腕２５を形成する為の穴２６の大きさｂは、図２に示す従来技術の細長い腕６を形成する為の穴８の大きさａに比較して小さくすことができ、この穴２６からの硬貨の飛び出しを減少させることができる。
【００１５】
図７は爪部の斜視図であり、図６に示す腕２５の全容をすることが出来る。爪２３は腕２５の先端部に位置していて、腕２５は硬貨の整列積み方向と直交する方向に設けられている。図３と比較して明らかなように、腕２５は、従来の細長い腕６と比べて撓みに強い形状になっている。また、前記鉤状突起２２と前記爪２３の係止を外す時には、指を掛ける箇所２４に矢印Ｇの方向に移動させることで係止を外すことができる。
【００１６】
図８は前記コインチューブ本体２１と前記扉体２０との係止順序を示す。矢印Ｈ方向から腕２５を押して鉤状突起２２と爪２３とが衝突し、更にＨ方向に押すと腕２５が撓んで、爪２３が鉤状突起２２の下側に入り込み、係止が完了する。この係止を外すには、指を掛ける箇所２４を矢印Ｇ方向に押し、移動させることで係止を外すことができる。
【００１７】
以上説明したように、本発明によれば、実施例のように、前記鉤状突起２２と爪２３との組み合わせによる係止手段において、腕２５の形状を撓みに強い形状にすることができ、即ちコインチューブ本体２１と扉体２０との係止手段の強度を高めて部材の折損を減少することができ、更に、腕２５を形成する穴を小さくすることができて、この穴からの硬貨飛び出しを減少させることができるという従来の問題点を改良したカセット式コインチューブを提供することが出来る。
【図面の簡単な説明】
【００１８】
【図１】従来技術のカセット式チューブ正面図
【図２】図１のＡ部拡大図
【図３】従来技術の係止手段の爪部斜視図
【図４】従来技術の係止順序を示す図
【図５】本発明実施例のカセット式チューブ正面図
【図６】図５のＡ部拡大図
【図７】本発明実施例の係止手段の爪部斜視図
【図８】本発明実施例の係止順序を示す図
【符号の説明】
【００１９】
１  従来技術の扉体
２  従来技術のコインチューブ本体
３  従来技術の係止手段−鉤状突起
４  従来技術の係止手段−爪
５  従来技術の係止手段−指を掛ける箇所
６  従来技術の係止手段−細長い腕
２０  本発明実施例の扉体
２１  本発明実施例のコインチューブ本体
２２  本発明実施例の係止手段−鉤状突起
２３  本発明実施例の係止手段−爪
２４  本発明実施例の係止手段−指を掛ける箇所
２５  本発明実施例の係止手段−腕
【図１】
2010061609.tif 000003
【図２】
2010061609.tif 000004
【図３】
2010061609.tif 000005
【図４】
2010061609.tif 000006
【図５】
2010061609.tif 000007
【図６】
2010061609.tif 000008
【図７】
2010061609.tif 000009
【図８】
2010061609.tif 000010